(57)【要約】      （修正有）【課題】フロントフレーム開閉可能な額縁に関し、特にフレームを前面で開いた状態で絵画や写真等の掲示物を容易にセットできる額縁を提供する。【解決手段】裏側コーナーパーツ５と一体的に形成されたＬ型部材５３を介して、４辺のベースフレームが矩形に枠組みされ、ベースフレームの端縁受け部に、フロントフレーム１の端縁部が嵌着され、該端縁受け部を介してフロントフレーム１を開閉可能に構成する。さらに、フロントフレーム内側の板バネ当接部とベースフレームの板バネ当接部間に金属製トグル機能板バネが嵌着され、該金属製トグル機能板バネのバネ性がフロントフレームの開閉時に付勢されるように構成し、フロントフレーム開閉可能な額縁とする。【選択図】図３
0003164883.tif 000002
【実用新案登録請求の範囲】
【請求項１】
裏側コーナーパーツと一体的に形成されたＬ型部材を介して、４辺のベースフレームが矩形に枠組みされ、ベースフレームの端縁受け部に、フロントフレームの端縁部が嵌着され、該端縁受け部を介してフロントフレームが開閉可能に構成されたことを特徴とするフロントフレーム開閉可能な額縁。
【請求項２】
フロントフレーム内側の板バネ当接部とベースフレームの板バネ当接部間に金属製トグル機能板バネが嵌着され、該金属製トグル機能板バネのバネ性がフロントフレームの開閉に付勢されるように構成されたことを特徴とする請求項１記載のフロントフレーム開閉可能な額縁。
【請求項３】
表面装飾用コーナーパーツは裏側コーナーパーツから分離されており、該装飾用コーナーパーツの側面から突出する挿入部をフロントフレームの一端から挿入して該フロントフレームと一体的に固定されており、該装飾用コーナーパーツが該フロントフレームの開閉に伴って一体的に開閉されるように構成されたことを特徴とする請求項１記載のフロントフレーム開閉可能な額縁。
【請求項４】
表面装飾用コーナーパーツと隣接するフロントフレームの一端との間に段差が生じないように、押上げバネ部材のバネ性強度が、金属製トグル機能板バネのバネ性強度より弱く設定されていることを特徴とする請求項１記載のフロントフレーム開閉可能な額縁。
【請求項５】
フロントフレームの開放時に取付け操作が容易にできるネジ穴が、裏側コーナーパーツに設けられていることを特徴とする請求項１記載のフロントフレーム開閉可能な額縁。
【考案の詳細な説明】
【技術分野】
【０００１】  本考案はフロントフレーム開閉可能な額縁に関し、特にフレームを前面で開いた状態で絵画等の作品を表面から容易にセットできる額縁に関する。
【背景技術】
【０００２】  額縁フレームを前面開閉式にする額縁が開発されており、絵画や写真等の作品をセットしたり、取り替えるときにはコーナー部の連結を外したり、組み立てたりする手間が掛かるものであった。また、組み立て後に固定するための構造は、ロック部材やストッパーと等の部品を取り付けるために複雑な構造を必要とするものであった。【０００３】  これらの例としては、特開２００５−１６８９４５号公報「額縁」や実用新案登録第３０８３５０７号公報「前面開放式額縁」等が開示されている。
【先行技術文献】
【特許文献】
【０００４】
【特許文献１】  特開２００５−１６８９４５号
【特許文献２】  実用新案登録第３０８３５０７号
【考案の概要】
【考案が解決しようとする課題】
【０００５】  前記せる特開２００５−１６８９４５号公報では、この種の連結具は、絵画等の作品をセットしたり、取り替えるときにはコーナー部の連結を外したり、組み立てたりする手間が掛かるものであった。また、下部フレームを連結するコーナー継手の表面に被せ部材が被せられており、絵画等の入れ替え時にはこの被せ部材を外方に移動しなければならなかった。【０００６】  また、前記せる実用新案登録第３０８３５０７号公報の場合も、コーナーの連結金具を必要とし、且つ、該連結金具の内側に設けられた凹部に表示物の四隅を嵌めてからフロントフレームを閉じて表示物を固定するものであった。
【課題を解決するための手段】
【０００７】    このような課題を解決するために鋭意研究の結果、本考案のフロントフレーム開閉可能な額縁は、絵画等を入れ替えたりする際も、その都度、連結金具の内側に設けられた凹部に表示物の四隅を嵌める作業を必要とせず、表面から容易に絵画等をセットできるものであり、以下のように構成したものである。【０００８】  裏側コーナーパーツと一体的に形成されたＬ型部材を介して、４辺のベースフレームが矩形に枠組みしされ、ベースフレームの端縁受け部に、フロントフレームの端縁部が嵌着され、該端縁受け部を介してフロントフレームが開閉可能に構成されたことを特徴とし、フロントフレーム内側の板バネ当接部とベースフレームの板バネ当接部間に金属製トグル機能板バネが嵌着され、該金属製トグル機能板バネのバネ性がフロントフレームの開閉に付勢されるように構成されたことを特徴とし、表面装飾用コーナーパーツは裏側コーナーパーツから分離されており、該装飾用コーナーパーツの側面から突出する挿入部をフロントフレームの一端から挿入して該フロントフレームと一体的に固定されており、該装飾用コーナーパーツが該フロントフレームの開閉に伴って開閉されるように構成されたことを特徴とし、表面装飾用コーナーパーツと隣接するフロントフレームの一端との間に段差が生じないように、押上げバネ部材のバネ性強度が、金属製トグル機能板バネのバネ性強度より弱く設定されていることを特徴とし、且つ、フロントフレームの開放時に取付け操作が容易にできるネジ穴が、裏側コーナーパーツに設けられていることを特徴とするフロントフレーム開閉可能な額縁を提供する。
【考案の効果】
【０００９】  本考案のフロントフレーム開閉可能な額縁によれば、前面にてフレームを開放できるので、掲示物のセットや交換が容易にできる効果があり、更に掲示物の厚さが異なっても、特別な操作をしなくても、表面装飾用コーナーパーツと隣接するフロントフレームの一端との間に段差が生じないように、押上げバネ部材のバネ性強度が、金属製トグル機能板バネのバネ性強度より弱く設定されているので、フロントフレームの開放時に絵画や写真等の取付け操作が容易にできる。
【図面の簡単な説明】
【００１０】
【図１】本考案のフロントフレーム開閉可能な額縁の平面図である。
【図２】図１の背面図である。
【図３】フロントフレームを開放した部分平面図である。
【図４】フロントフレームと表面装飾用コーナーパーツの接合部の分解斜視図である
【図５】裏側コーナーパーツの斜視図である。
【図６】図１のＡ−Ａ線の拡大断面図である。
【図７】押上げバネ部材の斜視図である。
【考案を実施するための形態】
【００１１】  以下、図面に基づいて、本考案を実施するための形態を具体的に説明する。
図面に於いて、図１は本考案のフロントフレーム開閉可能な額縁の平面図である。図２は図１の背面図である。図３はフロントフレームを開放した部分平面図である。図４はフロントフレームと表面装飾用コーナーパーツの接合部の分解斜視図である。図５は裏側コーナーパーツの斜視図である。図６は図１のＡ−Ａ線の拡大断面図である。図７は押上げバネ部材の斜視図である。
【００１２】  裏側コーナーパーツ５と一体的に形成されたＬ型部材５３を介して、４辺のベースフレーム４が矩形に枠組される。
【００１３】  裏側コーナーパーツ５と一体的に形成されたＬ型部材５３とベースフレーム４との連結状態は図３に示すように、ベースフレーム４に当接されたＬ型部材５３に止めネジ５２，５２で強固に固定される。
【００１４】  図６に示すように、ベースフレーム４の端縁受け部４２に、フロントフレーム１の端縁部１２が嵌着され、該端縁受け部４２を介してフロントフレーム１が開閉可能に構成されている。開放状態のフロントフレーム１の断面は図６中の点線でしめされている。
【００１５】  更に、図６に示すように、フロントフレーム１の内側の板バネ当接部１１とベースフレーム４の板バネ当接部４１との間に金属製トグル機能板バネが７嵌着され、該金属製トグル機能板バネ７のバネ性がフロントフレーム１の開閉時に付勢されるように構成されている。
【００１６】  表面装飾用コーナーパーツ２は裏側コーナーパーツ５から完全に分離されており、図４に示すように、該表面装飾用コーナーパーツ２の側面から突出する挿入部２１をフロントフレーム１の一端から挿入して該フロントフレーム１と一体的に固定されており、図３に示すように、該表面装飾用コーナーパーツ２が該フロントフレーム１の開放に伴って一体的に開放されるように構成されており、フロントフレーム１が内側に閉ざされる時も同様に一体的に閉ざされ、図１に示すようになる。
【００１７】  この時、押上げバネ部材３のバネ性強度が、金属製トグル機能板バネ７のバネ性強度より弱く設定されているので、表面装飾用コーナーパーツ２と隣接するフロントフレーム１の一端との間に段差が生じないようになっている。
【００１８】  フロントフレーム１の開放時に取付け操作が容易にできるネジ穴５１が、裏側コーナーパーツ５に設けられている。
【産業上の利用可能性】
【００１９】  本考案のフロントフレームを前面で開いた状態で絵画や写真等の作品を表面から容易にセットできるフロントフレーム開閉可能な額縁であって、一般家庭や学校等において、極めて便利に使用できるものである。
【符号の説明】
【００２０】  １．フロントフレーム
１１．板バネ当接部
１２．端縁部
２．表面装飾用コーナーパーツ
２１．挿入部
３．押上げバネ部材
４．ベースフレーム
４１．板バネ当接部
４２．端縁受け部
４３．押上げバネ部材嵌着部
５．裏側コーナーパーツ
５１．ネジ穴
５２．止めネジ
５３．Ｌ型部材
５４．ストッパー
５５．ネジ穴
６．掲示物
７．金属製トグル機能板バネ
【図１】
0003164883.tif 000003
【図２】
0003164883.tif 000004
【図３】
0003164883.tif 000005
【図４】
0003164883.tif 000006
【図５】
0003164883.tif 000007
【図６】
0003164883.tif 000008
【図７】
0003164883.tif 000009